(57)【要約】【課題】棚板に載置された物品に取り付けられたＲＦＩＤタグから物品情報を読み取る読取装置に不具合を生じさせないようにした棚装置を提供すること。【解決手段】上下方向に複数の係合孔１３を並べて穿設した左右の支柱２と、後端縁に設けられた係合爪１２を前記支柱２の係合孔１３に係合することで前記両支柱２に取り付けられる金属製のブラケット６と、物品情報が記憶されたＲＦＩＤタグ８が取り付けられた物品７を載置して前記両ブラケット６により左右端部が支持される棚板５と、を備える棚装置１において、前記ブラケット６を、前記棚板５の左右端部の上面側における前方以外の部位に設ける。【選択図】図４
2008120505.tif 000002
【特許請求の範囲】
【請求項１】
上下方向に複数の係合孔を並べて穿設した左右の支柱と、後端縁に設けられた係合爪を前記支柱の係合孔に係合することで前記両支柱に取り付けられる金属製のブラケットと、物品情報が記憶されたＲＦＩＤタグが取り付けられた物品を載置して前記両ブラケットにより左右端部が支持される棚板と、を備える棚装置において、
前記ブラケットを、前記棚板の左右端部の上面側における前方以外の部位に設けることを特徴とする棚装置。
【請求項２】
前記ブラケットが、前記棚板に対して上方に延在されて前記係合爪が設けられた縦片と、前記棚板の端部を支持する横片と、を有する側面視で略Ｌ字形状をなすことを特徴とする請求項１に記載の棚装置。
【請求項３】
前記ブラケットが、前記棚板に対して下方に延在されて側面視で略矩形状をなすことを特徴とする請求項１に記載の棚装置。
【発明の詳細な説明】
【技術分野】
【０００１】
本発明は、物品情報が記憶されたＲＦＩＤタグが取り付けられた物品を載置する棚板を備える棚装置に関する。
【背景技術】
【０００２】
従来、各物品に物品情報が記憶されたＲＦＩＤタグを取り付け、ＲＦＩＤタグの物品情報を読取装置で読み取り、この読み取った物品情報に基づいて各物品の収納状態を管理するものがある。例えば、特許文献１に記載の物品管理システムのように、本棚に収納された書籍（物品）に取り付けられた書籍無線タグ（ＲＦＩＤタグ）に対して、無線信号（電磁波）の送受信を行うダイポールアンテナ（読取装置）を、ケーブルを介してパソコンに接続し、このパソコンを書籍管理データベースに接続することで、書籍の管理を行うものがある。
【０００３】
【特許文献１】特開２００５−３５０２０５号公報（第６頁、第１図）
【発明の開示】
【発明が解決しようとする課題】
【０００４】
近年、特に多量の書籍を管理する図書館等において、特許文献１に記載の物品管理システムを適用したいという要望がある。しかしながら、従来の本棚（棚装置）では、ダイポールアンテナ（読取装置）を用いて、棚板の左右側端部に載置された書籍（物品）に取り付けられた書籍無線タグ（ＲＦＩＤタグ）の物品情報を読み取ろうとした際に、ダイポールアンテナから発せられる電磁波の磁界と逆向きの磁界が側板（ブラケット）に発生しないように、金属製の側板の使用を避けるか、金属製の側板から離間して書籍を置かざるを得なかった。
【０００５】
本発明は、このような問題点に着目してなされたもので、棚板に載置された物品に取り付けられたＲＦＩＤタグから物品情報を読み取る読取装置に不具合を生じさせないようにした棚装置を提供することを目的とする。
【課題を解決するための手段】
【０００６】
前記課題を解決するために、本発明の請求項１に記載の棚装置は、
上下方向に複数の係合孔を並べて穿設した左右の支柱と、後端縁に設けられた係合爪を前記支柱の係合孔に係合することで前記両支柱に取り付けられる金属製のブラケットと、物品情報が記憶されたＲＦＩＤタグが取り付けられた物品を載置して前記両ブラケットにより左右端部が支持される棚板と、を備える棚装置において、
前記ブラケットを、前記棚板の左右端部の上面側における前方以外の部位に設けることを特徴としている。
この特徴によれば、物品情報が記憶されたＲＦＩＤタグが取り付けられた物品が、棚板の左右端部側に載置されても、物品の側方の前方側が開放されているため、読取装置からの電磁波の磁界と逆向きの磁界がブラケット内部に発生することを防止でき、読取装置に不具合を生じさせないようにできる。
【０００７】
本発明の請求項２に記載の棚装置は、請求項１に記載の棚装置であって、
前記ブラケットが、前記棚板に対して上方に延在されて前記係合爪が設けられた縦片と、前記棚板の端部を支持する横片と、を有する側面視で略Ｌ字形状をなすことを特徴としている。
この特徴によれば、ブラケットが棚板を上面側から支持できるため、ブラケット内部に引っ張り応力が発生した状態で棚板を支持でき、ブラケットを小さく形成することができる。
【０００８】
本発明の請求項３に記載の棚装置は、請求項１に記載の棚装置であって、
前記ブラケットが、前記棚板に対して下方に延在されて側面視で略矩形状をなすことを特徴としている。
この特徴によれば、棚板に対して上方には、金属製のブラケットが全く配置されないようになり、ＲＦＩＤタグが物品の後方側に取り付けられた場合であっても、読取装置から発せられる電磁波が影響されないようになる。
【発明を実施するための最良の形態】
【０００９】
本発明に係る棚装置を実施するための最良の形態を実施例に基づいて以下に説明する。
【実施例１】
【００１０】
本発明の実施例を図面に基づいて説明すると、先ず図１は、実施例１における書棚とワゴンを示す斜視図であり、図２（ａ）は、ワゴンを示す側面図であり、図２（ｂ）は、ワゴンを示す正面図であり、図３は、書棚を示す正面図であり、図４は、書棚を示す側面図である。
【００１１】
図１の符号１は、図書館等に複数設置される本発明の適用された棚装置としての書棚１である。図１に示すように、書棚１は、その左右方向に３本の支柱２が設けられており、この支柱２は、それぞれの下端に一体的に接合された脚座３により床面に設置されている。
【００１２】
また、支柱２の上端部には、棚天板４が取り付けられるとともに、各々の支柱２間には、複数段の棚板５が後述するブラケット６を介して取り付けられている。尚、本実施例では、上下方向に並ぶ４段の棚板５が左右方向に並んで設けられているとともに（図３参照）、同一構成の棚板５が背面側にも設けられている（図４参照）。
【００１３】
図１及び図３に示すように、棚板５上には、本実施例における物品としての複数の書籍７が載置されて収納できるようになっている。また、各々の書籍７の背表紙における下方側には、ＲＦＩＤタグ８が取り付けられている。尚、ＲＦＩＤ（Ｒａｄｉｏ Ｆｒｅｑｕｅｎｃｙ ＩＤｅｎｔｉｆｉｃａｔｉｏｎ、無線による識別）タグとは、記憶部を有するＩＣチップと、記憶部に記憶された情報を送受信可能なコイル状の無線アンテナからなる。
【００１４】
ＲＦＩＤタグ８には、各々の書籍７に関する物品情報が記憶されており、この物品情報は、後述するタグリーダー１６を備えたワゴン１７によって読み取られるようになっている。読み取られた物品情報に基づいて、各々の書籍７がどの書棚１に収納されているか、若しくは現在貸し出し中であるか否か等の情報が、図書館内に設置された管理用コンピュータ（図示略）に登録されるようになっており、図書館の管理者は、複数の書棚１に収納される書籍７を管理用コンピュータ（図示略）によって一括して管理できるようになっている。
【００１５】
図４に示すように、書棚１の側面側の支柱２には、ＲＦＩＤタグ８を利用した物品情報の利用手段としてのタッチパネル９が取り付けられている。このタッチパネル９には、管理用コンピュータ（図示略）の登録情報に基づいて、各々の書棚１に収納される書籍７に関する情報が表示されるようになっており、図書館の利用者が、目的とする書籍７がどこに収納されているか、若しくは現在貸し出し中であるか否か等の情報が表示されるようになっている。尚、図書館の利用者はタッチパネル９に触れて操作することで、目的とする書籍７の検索等が行えるようになっている。
【００１６】
次に、書棚１における棚板５及びブラケット６について詳述する。以下、図４の紙面左側を書棚の正面側（前方側）として説明する。尚、書棚１の正面側及び背面側に配置される棚板５及びブラケット６は同一構成なので、書棚１の正面側に配置される棚板５及びブラケット６を例に説明する。
【００１７】
図４に示すように、書棚１の棚板５の両側端部（左右端部）には、側面視で略Ｌ字形状をなすブラケット６が連結されている。ブラケット６は正面視で薄い板状をなすステンレス等の金属部材（電磁遮蔽材）で形成されており、ブラケット６を薄く形成することで、棚板５の上面の面積を広く確保して書籍７の収納容量を増やすことができ、かつブラケット６を金属部材で形成することで、ブラケット６の強度を向上させることができる。
【００１８】
このブラケット６は、棚板５に対して上方に延在された縦片１０と、棚板５の側端部に連結される横片１１とを有している。ブラケット６の縦片１０の後端縁には、係合爪１２が設けられており、この係合爪１２に係合される係合孔１３が支柱２に形成され、ブラケット６は係合爪１２が支柱２の係合孔１３に係合されることで支柱２に取り付けられている。
【００１９】
図３に示すように、支柱２には、複数の係合孔１３が支柱２の上下方向に並んだ状態で形成されており、係合爪１２が係合される係合孔１３の位置を変えることで、各々の棚板５の高さ位置を変えることができる。尚、支柱２の背面側にも同様な係合孔１３が形成され、ブラケット６を介して棚板５が取り付けられている（図４参照）。
【００２０】
また、ブラケット６の横片１１は、棚板５の側端部にネジ（図示略）によって連結されており、棚板５はブラケット６を介して支柱２に支持される。ブラケット６が棚板５を上面側から支持できるため、ブラケット６内部に引っ張り応力が発生した状態で棚板５を支持でき、ブラケット６を小さく形成することができる。
【００２１】
更に、図４に示すように、各々棚板５の下面には、棚板５の長手方向に延びる２条の係止溝１４が設けられており、この係止溝１４には、合成樹脂等の非電磁遮蔽材で形成されたブックサポート１５が係合されるようになっている。ブックサポート１５を係止溝１４に係合することで、ブックサポート１５が取り付けられた棚板５の下方の棚板５に載置した書籍７を倒れないように保持できるようになっている。
【００２２】
次に、タグリーダー１６を備えたワゴン１７について詳述する。以下、図２（ａ）の紙面左側をワゴン１７の正面側（前方側）とし、図２（ｂ）の紙面手前側をワゴン１７の正面側（前方側）として説明する。
【００２３】
図２（ａ）及び図２（ｂ）に示すように、ワゴン１７は、略直方体の箱体１８を有し、この箱体１８の下部には、床面上を走行可能なキャスター１９が設けられるとともに、箱体１８の上部には、天板２０が設けられている。また、箱体１８の両側面から正面側にかけて把手２１が設けられている。図書館の管理者などのワゴン１７の使用者は、把手２１を把持することでワゴン１７を牽引したり押したりして、ワゴン１７を任意の位置まで自在に移動させることができる。
【００２４】
ワゴン１７の天板２０上には、ノートＰＣ２２が載置されている。また、ワゴン１７の背面側には、本実施例における読取装置としてのタグリーダー１６を上下昇降自在に支持するアーム２３が設けられている。このアーム２３は、箱体１８の背面側に設けられたアーム支持部２４に対して、水平回動部２５を介して支持されており、水平回動部２５を水平方向に回動させることで、アーム２３を水平方向に旋回自在に支持している。
【００２５】
また、アーム２３は、複数の腕部２６と、この腕部２６を垂直方向に回動可能に接続している関節部２７を有している。アーム２３における先端側の関節部２７には、タグリーダー１６を水平方向に回動可能に支持し、かつ使用者がタグリーダー１６の位置を変更するときに把持できる把持部２８が設けられ、アーム２３における基端側の関節部２７は前述した水平回動部２５に連結されている。把持部２８の下端には、関節部２７’を介してタグリーダー１６が取り付けられている。
【００２６】
アーム２３は、使用者が把持部２８を掴んだ状態で自在に動かすことができ、このアーム２３によりタグリーダー１６を書棚１の上段から下段までの各々の棚板５に載置された書籍７の高さ位置にタグリーダー１６の高さ位置を変更できる。
【００２７】
使用者が各々の書籍７に取り付けてあるＲＦＩＤタグ８から物品情報を読み取る際には、使用者はワゴン１７を書棚１の近傍まで移動させた状態で、タグリーダー１６が支持されている把持部２８を掴んでアーム２３を動かし、アーム２３の先端部に設けられたタグリーダー１６を書籍７に近接させる。尚、本実施例で用いているタグリーダー１６は、ＲＦＩＤタグ８に記憶された物品情報を非接触式で読み取り可能な読取装置となっている。
【００２８】
そして、タグリーダー１６を稼動させることで、書籍７に取り付けられたＲＦＩＤタグ８に記憶された物品情報を読み取ることができる。タグリーダー１６とノートＰＣ２２とは、通信ケーブル（図示略）によって互いに接続されており、タグリーダー１６によってＲＦＩＤタグ８から読み取られた物品情報は、ノートＰＣ２２に送られるようになっている。
【００２９】
尚、ノートＰＣ２２に送られた物品情報は、ノートＰＣ２２に設けられたモニタ２２’に表示される。そのためワゴン１７の使用者は物品情報を随時確認できる。また、ノートＰＣ２２と管理用コンピュータ（図示略）とは、無線通信によって接続されており、ノートＰＣ２２に記録された物品情報や管理用コンピュータ（図示略）に記録された物品情報を互いに共有できるようになっている。
【００３０】
書棚１における上段（高い位置）の棚板５に載置されている書籍７を読み取る際には、タグリーダー１６を所定の高い位置を保った状態で、ワゴン１７を書棚１の正面側に対して平行に移動させる。すると、タグリーダー１６は該当する高さ位置の棚板５に載置されている各々の書籍７に取り付けられたＲＦＩＤタグ８から物品情報を次々と読み取ることができる。
【００３１】
同様に、書棚１における下段（低い位置）の棚板５に載置されている書籍７を読み取る際には、アーム２３を動かしてタグリーダー１６を所定の低い位置を保った状態で、ワゴン１７を書棚１の正面側に対して平行に移動させればよい。
【００３２】
本実施例にて使用するＲＦＩＤタグ８は、内臓の無線アンテナ（コイル）によってタグリーダー１６が放つ電磁波で電磁誘導を起こして電磁波の送受信を行うようになっている。そのためタグリーダー１６をＲＦＩＤタグ８に対して数十ｃｍ以内の距離に近接させる必要がある。
【００３３】
尚、タグリーダー１６とブラケット６等を構成している金属部材（電磁遮蔽材）との離間距離は、タグリーダー１６とＲＦＩＤタグ８との電磁波の送受信に影響を与えないようにするために、少なくともタグリーダー１６と前記金属部材との間隔を４０ｍｍ以上離間させることが好ましい。
【００３４】
以上、本実施例における書棚１では、ブラケット６を棚板５の側端部の上面側における前方以外の部位に設けることで、物品情報が記憶されたＲＦＩＤタグ８が取り付けられた書籍７が棚板５に載置されたときに、書籍７の側方の前方側が開放されるようになり、タグリーダー１６を用いてＲＦＩＤタグ８を読み取る際に、書籍７に近接させたタグリーダー１６から電磁波が発せられても、ブラケット６はタグリーダー１６から離されて設けられているため、電磁波の磁界と逆向きの磁界がブラケット６内部に発生することを防止でき、タグリーダー１６に不具合を生じさせないようにできる。
【実施例２】
【００３５】
次に、実施例２に係る書棚１ａにつき、図５を参照して説明する。尚、前記実施例１に示される構成部分と同一構成部分に付いては同一符号を付して重複する説明を省略する。図５は、実施例２における書棚１ａを示す側面図である。
【００３６】
図５に示すように、書棚１ａの棚板５の両側端部には、側面視で略矩形状をなす、ブラケット６ａが連結されている。このブラケット６ａは正面視で薄い板状をなすステンレス等の金属部材（電磁遮蔽材）で形成されるとともに、このブラケット６ａは、棚板５に対して下方に延在されている。尚、最下段の棚板５は前記実施例１と同様のブラケット６が連結されている。
【００３７】
尚、ブラケット６ａの下端部は、書棚１ａの側面視において、下方に配置された書籍７に重ならないようになっている。更に尚、ブラケット６ａの下端部は、書棚１ａの側面視において、少なくとも下方に配置された書籍７に取り付けられたＲＦＩＤタグ８に重ならないようになっていればよい。
【００３８】
ブラケット６ａの後端縁には、係合爪１２が設けられており、前記実施例１のブラケット６と同様に、ブラケット６ａは係合爪１２が支柱２の係合孔１３に係合されることで支柱２に取り付けられている。ブラケット６ａの上部は、棚板５の側端部にネジ（図示略）によって連結されており、棚板５はブラケット６ａを介して支柱２に支持される。
【００３９】
また、ブラケット６ａの前端縁は、上方から下方にかけて支柱２に近づくように傾斜されたテーパ部３０が形成されており、棚板５に加わる荷重を支柱２側に向かって加えた状態で支持できる。
【００４０】
以上、実施例２における書棚１ａでは、棚板５に対して上方には、金属製のブラケット６ａが全く配置されないようになり、書籍７に取り付けられたＲＦＩＤタグ８をタグリーダー１６で読み取る際に、タグリーダー１６から発せられる電磁波が影響されないようになる。例えば、ＲＦＩＤタグ８が書籍７の側方側や後方側（棚板５の奥側）に取り付けられた場合であっても、タグリーダー１６から発せられる電磁波が影響されないようになる。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、前記実施例では、書籍７の背表紙の下方側にＲＦＩＤタグ８が取り付けられていたが、書籍７の背表紙の下方側のみならず、ＲＦＩＤタグ８がブラケット６の影響を受けない位置ならば、書籍７の表紙や裏表紙などに取り付けるようにしてもよい。
【００４３】
また、前記実施例では、ブックサポート１５が合成樹脂等の非電磁遮蔽材で形成されていたが、ブックサポート１５をステンレス等の金属部材（電磁遮蔽材）で形成した場合には、書棚１の側面視において、ＲＦＩＤタグ８の位置とブックサポート１５の位置が重ならないようにブックサポート１５の大きさを適宜調整すればよい。
【００４４】
また、前記実施例１では、書棚１の側面視において略Ｌ字形状をなすブラケット６が設けられているが、ブラケット６は少なくとも棚板５の上面における前方側の半分に設けられていなければよく、書棚１の側面視において、ＲＦＩＤタグ８の位置とブラケット６の位置が重ならないように形成してあればよい。
【００４５】
また、前記実施例では、棚装置としての書棚１に設けられるＲＦＩＤタグ８を利用した物品情報の利用手段としてタッチパネル９が書棚１に設けられているが、その他の物品情報の利用手段として管理用コンピュータ（図示略）によって検索された目的とする書籍７が収納されている書棚１を報知する報知ランプ等を書棚１の棚天板４等に設けるようにしてもよい。
【図面の簡単な説明】
【００４６】
【図１】実施例１における書棚とワゴンを示す斜視図である。
【図２】（ａ）は、ワゴンを示す側面図であり、（ｂ）は、ワゴンを示す正面図である。
【図３】書棚を示す正面図である。
【図４】書棚を示す側面図である。
【図５】実施例２における書棚を示す側面図である。
【符号の説明】
【００４７】
１，１ａ          書棚（棚装置）
２                支柱
５                棚板
６，６ａ          ブラケット
７                書籍（物品）
８                ＲＦＩＤタグ
１０              縦片
１１              横片
１２              係合爪
１３              係合孔
１６              タグリーダー（読取装置）
【図１】
2008120505.tif 000003
【図２】
2008120505.tif 000004
【図３】
2008120505.tif 000005
【図４】
2008120505.tif 000006
【図５】
2008120505.tif 000007